(57)【要約】【課題】本発明は、簡単な回路を用いて揺れによる影響を排除するＵＳＢポートを備えた電子装置を提供する。【解決手段】ＵＳＢポートを備えた電子装置は、ＵＳＢポートと、デコーディングチップと、分圧回路と、を備え、前記ＵＳＢポートは、電源端子と、正データ端子と、負データ端子と、接地端子と、を備え、前記電源端子は、前記電子装置の電圧端に電気的に接続され、前記正データ端子及び前記負データ端子は、前記デコーディングチップのデータ端子にそれぞれ電気的に接続され、前記分圧回路は、前記電圧端と前記接地端子との間に電気的に接続され、前記電圧端の電圧を受信して、受信された電圧と正比例する分圧電圧を生成するとともに、前記分圧電圧を前記接地端子に供給する。【選択図】図１
2013222462.tif 000002
【特許請求の範囲】
【請求項１】
ＵＳＢポートと、デコーディングチップと、分圧回路と、を備え、
前記ＵＳＢポートは、電源端子と、正データ端子と、負データ端子と、接地端子と、を備え、
前記電源端子は、前記電子装置の電圧端に電気的に接続され、
前記正データ端子及び前記負データ端子は、前記デコーディングチップのデータ端子にそれぞれ電気的に接続され、
前記分圧回路は、前記電圧端と前記接地端子との間に電気的に接続され、前記電圧端の電圧を受信して、受信された電圧と正比例する分圧電圧を生成するとともに、前記分圧電圧を前記接地端子に供給することを特徴とするＵＳＢポートを備えた電子装置。
【請求項２】
前記分圧回路は、前記電圧端と前記接地端子との間に直列接続された第一抵抗及び第二抵抗を備え、
前記第一抵抗と前記第二抵抗との接続ノードは、前記ＵＳＢポートの接地端子に接続されることを特徴とする請求項１に記載のＵＳＢポートを備えた電子装置。
【請求項３】
前記電圧端の電圧は、前記第一抵抗及び前記第二抵抗に分圧された後分圧電圧を獲得し、且つ接続ノードによって前記ＵＳＢポートの接地端子に供給することを特徴とする請求項２に記載のＵＳＢポートを備えた電子装置。
【請求項４】
前記第一抵抗の抵抗値は、前記第二抵抗の抵抗値よりも大きいことを特徴とする請求項２に記載のＵＳＢポートを備えた電子装置。
【発明の詳細な説明】
【技術分野】
【０００１】
本発明は、電子装置に関し、特にＵＳＢポートを備えた電子装置に関するものである。
【背景技術】
【０００２】
現在、ＵＳＢポートは、電子装置に広く応用されているデータ伝送ポートである。前記電子装置は、ＵＳＢポートによって他の装置に接続される時、電子装置が不安定又は揺れているなどの状態にある場合、ＵＳＢが接続できないか又はＵＳＢ装置が認識されないという問題が発生する。従来の技術においては、電子装置のＵＳＢデコーディングチップの内部における揺れ補正モジュールを実装することにより、揺れによる影響を排除する。しかし、揺れが強い場合、ＵＳＢポートの電圧の異常（例えば、ＵＳＢポートの正負電源端子の電圧差が正常値より大きいことに起因するＵＳＢ装置が認識されないなどの問題）は、揺れ補正モジュールによって解決することができない。
【発明の概要】
【発明が解決しようとする課題】
【０００３】
本発明の目的は、前記課題を解決するために、簡単な回路を用いて揺れによる影響を排除するＵＳＢポートを備えた電子装置を提供することである。
【課題を解決するための手段】
【０００４】
前記目的を達成するため、本発明に係るＵＳＢポートを備えた電子装置は、ＵＳＢポートと、デコーディングチップと、分圧回路と、を備える。前記ＵＳＢポートは、電源端子と、正データ端子と、負データ端子と、接地端子と、を備え、前記電源端子は、前記電子装置の電圧端に電気的に接続され、前記正データ端子及び前記負データ端子は、前記デコーディングチップのデータ端子にそれぞれ電気的に接続され、前記分圧回路は、前記電圧端と前記接地端子との間に電気的に接続され、前記電圧端の電圧を受信して、受信された電圧と正比例する分圧電圧を生成するとともに、前記分圧電圧を前記接地端子に供給する。
【発明の効果】
【０００５】
本発明のＵＳＢポートを備えた電子装置は、簡単な回路を用いて、ＵＳＢポートの電源端子と接地端子との間の電圧差を効果的に減少させることができる。これにより、揺れによるＵＳＢポートにもたらす影響を排除することができる。
【図面の簡単な説明】
【０００６】
【図１】本発明の実施形態に係るＵＳＢポートを備えた電子装置の回路図である。
【発明を実施するための形態】
【０００７】
以下、図面を参照して、本発明の実施形態について説明する。
【０００８】
図１を参照すると、ＵＳＢポートを備えた電子装置１００（以下、電子装置１００と称する）は、ＵＳＢポート１０と、デコーディングチップ２０と、分圧回路３０と、を備える。
【０００９】
ＵＳＢポート１０は、電源端子Ｖｃｃと、正データ端子Ｄ＋と、負データ端子Ｄ−と、接地端子ＧＮＤと、を備える。電源端子Ｖｃｃは、電子装置の電圧端Ｖｏｎに電気的に接続される。正データ端子Ｄ＋及び負データ端子Ｄ−は、デコーディングチップ２０のデータ端子（図示せず）にそれぞれ電気的に接続される。
【００１０】
分圧回路３０は、電圧端Ｖｏｎと接地端子ＧＮＤとの間に電気的に接続され、電圧端Ｖｏｎの電圧を受信して、受信された電圧と正比例する分圧電圧を生成するとともに、分圧電圧を接地端子ＧＮＤに供給する。勿論、電子装置１００は、モニター、記憶装置などの他の部品を備える。本発明と関係しないため、これらについて詳しい説明は省略する。
【００１１】
図１を参照すると、本実施形態において、分圧回路３０は、電圧端Ｖｏｎと接地端子ＧＮＤとの間に直列接続された第一抵抗Ｒ１及び第二抵抗Ｒ２を備える。第一抵抗Ｒ１と第二抵抗Ｒ２との接続ノードＮは、ＵＳＢポート１０の接地端子ＧＮＤに接続される。電圧端Ｖｏｎの電圧は、第一抵抗Ｒ１及び第二抵抗Ｒ２に分圧された後分圧電圧を得る。即ち、第二抵抗Ｒ２の電圧は、分圧電圧である。電圧端Ｖｏｎの電圧をＶｏｎと設定し、第一抵抗Ｒ１及び第二抵抗Ｒ２の抵抗値を、それぞれＲ１及びＲ２と設定した場合、分圧電圧は、Ｖｏｎ×Ｒ２／（Ｒ１＋Ｒ２）と計算される。
【００１２】
本実施形態において、第一抵抗Ｒ１の抵抗値は、第二抵抗Ｒ２の抵抗値よりも遥かに大きい。例えば、第一抵抗Ｒ１の抵抗値は、４００オーム（Ω）であり、第二抵抗Ｒ２の抵抗値は、０．３３オームである。ＵＳＢポート１０の電源端子Ｖｃｃは、電圧端Ｖｏｎに常時接続される。電源端子Ｖｃｃの電圧値は、電圧端Ｖｏｎの電圧値と等しい。分圧電圧は、電圧端Ｖｏｎの電圧と正比例するため、電子装置１００の揺れによって、電源に異常が発生し、電源端子Ｖｃｃの電圧が上昇した場合、接地端子ＧＮＤの電圧は上昇する。また、電源端子Ｖｃｃの電圧が低下した場合、接地端子ＧＮＤの電圧は低下する。これにより、ＵＳＢポート１０の電源端子Ｖｃｃと接地端子ＧＮＤとの間の電圧差を効果的に減少させることができる。
【００１３】
本実施形態において、電子装置は、コンピュータ、電子フォトフレーム、電子ブック及びデジタルカメラ等であることができる。
【００１４】
本発明のＵＳＢポートを備えた電子装置は、電子装置の揺れによって、電源に異常が発生した場合、簡単な回路を用いて、ＵＳＢポートの電源端子Ｖｃｃと接地端子ＧＮＤとの間の電圧差を効果的に減少させることができる。
【００１５】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００１６】
１０  ＵＳＢポート
２０  デコーディングチップ
３０  分圧回路
１００  ＵＳＢポートを備えた電子装置
Ｖｃｃ  電源端子
Ｖｏｎ  電圧端
ＧＮＤ  接地端子
Ｄ＋  正データ端子
Ｄ−  負データ端子
Ｒ１  第一抵抗
Ｒ２  第二抵抗
Ｎ  接続ノード
【図１】
2013222462.tif 000003